(57)【要約】【課題】電気機器において、省スペースでありながら、簡単な作業で電気回路又は電気部品と導電性部材との間に絶縁性を確保することができる絶縁構造を提供する。【解決手段】支持部材（導電性部材）３は、電気回路又は電気部品に対向する部分を平面状の平面部としており、平面部に絶縁シート２が両面テープ等で布設されている。支持部材３の平面部の縁には凸状部３２が形成され、凸状部３２には係合穴が形成されており、絶縁シート２の端が延伸した係合舌部２１，２１が凸状部３２の係合穴に挿入されている。更に支持部材３には、鉤状の係止部３４，３５が設けられており、係止部３４，３５が絶縁シート２の周縁を係止している。【選択図】図５
2009049245.tif 000002
【特許請求の範囲】
【請求項１】
電気回路又は電気部品と導電性部材との間に絶縁シートを介在させた絶縁構造において、
前記導電性部材は、
前記電気回路又は前記電気部品に対向する位置に平面部を有し、
該平面部に隣接する位置に、前記平面部に対して凸になった凸状部を有し、
該凸状部に、前記平面部側へ開口した係合穴を形成してあり、
前記絶縁シートは、
端の一部が延伸した係合舌部を有し、
前記係合舌部を前記係合穴に係合させて前記平面部に布設してあること
を特徴とする絶縁構造。
【請求項２】
前記係合穴は、前記平面部に沿った方向に前記凸状部を貫通してあり、
前記係合舌部は前記係合穴を突き抜ける長さに形成されてあり、
前記係合舌部の先端は、前記凸状部に掛止されることができるように折り曲げてあること
を特徴とする請求項１に記載の絶縁構造。
【請求項３】
前記導電性部材は、前記凸状部とは別の位置に、前記絶縁シートが前記平面部に交差する方向へ移動することを抑止するために前記絶縁シートを係止する一又は複数の係止部を有しており、
前記絶縁シートは、周縁の一部が前記係止部によって係止されていること
を特徴とする請求項１又は２に記載の絶縁構造。
【発明の詳細な説明】
【技術分野】
【０００１】
本発明は、電気機器において電気部品と他の構成物との間に絶縁性を確保するための絶縁構造に関する。
【背景技術】
【０００２】
テレビジョン受像機又はオーディオ装置等の電気機器では、各種の電気部品を用いてなる電気回路を含んで構成されている。電気機器で用いられる電気部品には、トランス等の高電圧を利用するものも存在する。また電気機器では、筐体、シールド部材又は放熱部材等として導電性部材が用いられている。これら導電性部材と電気回路との間に導通が発生した場合は、漏電又は短絡等の不具合が発生することとなる。そこで、電気回路と導電性部材との間には絶縁性を確保する必要がある。近年の電気機器では、小型化又は薄型化のために電気回路と導電性部材との間の空間が少なくなってきており、絶縁を保つために電気回路と導電性部材との間に絶縁シートを配置することが行われている。
【０００３】
絶縁シートは、電気機器の内部で機械的に固定する必要があるものの、電気機器の小型化又は薄型化のため、絶縁シートをビスで固定するために必要な空間を電気機器内部に確保することが困難である。また絶縁シートをビスで固定した場合は、部品点数が増加し、作業手順も増えるという問題がある。そこで、ビスを用いることなく絶縁シートを固定する技術が開発されている。
【０００４】
特許文献１には、回路基板を皿ネジで固定し、絶縁シートに切り欠き部及び突片部を形成しておき、皿ネジの頭部で絶縁シートの切り欠き部を係止し、突片部を他の固定物の下へ挿入して係止することにより、絶縁シートを配置する技術が開示されている。また特許文献２には、絶縁シートの両端に係止片を設けておき、回路基板の両端に形成してある係止孔に係止片を挿入して、絶縁シートの弾性反発力によって絶縁シートを固定する技術、及び係止片に挿入方向へのスリットを形成しておき、スリットの幅が狭くなるように係止片を変形させた上で係止孔に係止片を挿入し、スリットの幅が元に戻る弾性力によって絶縁シートを固定する技術が開示されている。
【特許文献１】実開平７−２９８８６号公報
【特許文献２】実開平６−２３２７２号公報
【発明の開示】
【発明が解決しようとする課題】
【０００５】
特許文献１に開示された技術では、皿ネジで確実に絶縁シートを固定するためには大きな力で切り欠き部をはめ込む必要があり、また突片部を固定物の下へ挿入するためには一端絶縁シートを撓ませてから挿入する必要があり、絶縁シートを固定する作業の作業性が悪いという問題がある。また特許文献２に開示された技術では、絶縁シートの弾性力によって絶縁シートが固定されているので、絶縁シートの材質が弾性力の強い材質に限定され、小さい外力ででも外れる虞があるという問題がある。また係止片にスリットを形成しておく技術では、大きい力で係止片を変形させた上で係止孔に係止片を挿入する必要があるので、作業性が悪いという問題がある。
【０００６】
また特許文献１及び２に開示された技術では、回路基板に略並行な絶縁シートを回路基板に対して固定するので、電気部品の腹側、即ち電気部品のリードを回路基板に半田で接続した接続面側を絶縁シートで保護することはできる。また集積回路等の背の低い電気部品であれば、電気部品の背側、即ち電気部品を回路基板に取り付けた取り付け面側を保護することもできる。しかしながら、トランス等の背の高い電気部品に対しては、背側を絶縁シートで保護することはできないという問題がある。特にトランス等の高電圧を利用する電気部品は、背側と導電性部材との間を絶縁する必要があり、特許文献１及び２には、この問題を解決するための技術は開示されていない。
【０００７】
本発明は、斯かる事情に鑑みてなされたものであって、その目的とするところは、電気部品に対向する導電性部材に絶縁シートを係止することにより、省スペースでありながら、簡単な作業で電気部品と導電性部材との間に絶縁性を確保することができる絶縁構造を提供することにある。
【課題を解決するための手段】
【０００８】
本発明に係る絶縁構造は、電気回路又は電気部品と導電性部材との間に絶縁シートを介在させた絶縁構造において、前記導電性部材は、前記電気回路又は前記電気部品に対向する位置に平面部を有し、該平面部に隣接する位置に、前記平面部に対して凸になった凸状部を有し、該凸状部に、前記平面部側へ開口した係合穴を形成してあり、前記絶縁シートは、端の一部が延伸した係合舌部を有し、前記係合舌部を前記係合穴に係合させて前記平面部に布設してあることを特徴とする。
【０００９】
本発明においては、電気回路又は電気部品と導電性部材の平面部を対向させ、平面部に隣接する位置に係合穴を形成した凸状部を設け、絶縁シートの端を延伸した係合舌部を凸状部の係合穴に係合した上で絶縁シートを両面テープ等で平面部に布設する。凸状部の係合穴に係合した係合舌部によって、絶縁シートの移動が抑止される。
【００１０】
本発明に係る絶縁構造は、前記係合穴は、前記平面部に沿った方向に前記凸状部を貫通してあり、前記係合舌部は前記係合穴を突き抜ける長さに形成されてあり、前記係合舌部の先端は、前記凸状部に掛止されることができるように折り曲げてあることを特徴とする。
【００１１】
また本発明においては、凸状部の係合穴は凸状部を貫通しており、絶縁シートの係合舌部は凸状部の係合穴を突き抜けて先端を折り曲げてあるので、絶縁シートの係合舌部が導電性部材の凸状部に掛止され、絶縁シートの移動が効果的に抑止される。
【００１２】
本発明に係る絶縁構造は、前記導電性部材は、前記凸状部とは別の位置に、前記絶縁シートが前記平面部に交差する方向へ移動することを抑止するために前記絶縁シートを係止する一又は複数の係止部を有しており、前記絶縁シートは、周縁の一部が前記係止部によって係止されていることを特徴とする。
【００１３】
また本発明においては、絶縁シートは、導電性部材に形成された鉤状の係止部が周縁に引っ掛かって係止されるので、平面部に交差する方向へ絶縁シートが移動することが抑止される。
【発明の効果】
【００１４】
本発明にあっては、電気回路又は電気部品に対向する導電性部材の平面部に絶縁シートを接着して布設し、絶縁シートの係合舌部が導電性部材の凸状部に形成された係合穴に係合し、係止部によって絶縁シートが係止されることにより、ビス等を必要とすることなく絶縁シートを設けることができるので、絶縁構造の厚さを大きくすることなく、電気機器の省スペース化及び薄型化を図りながら、電気回路又は電気部品と導電性部材との間に絶縁性を保つことができる。また絶縁シートに大きい力を加える作業が不必要となるので、絶縁シートを固定する作業の作業性が改善される。更に、電気回路又は電気部品に近接する導電性部材に対して絶縁シートを固定してあるので、電気回路又は電気部品の腹側を絶縁シートで保護できることに加えて、電気部品の背側を絶縁シートで保護することも可能となる等、本発明は優れた効果を奏する。
【発明を実施するための最良の形態】
【００１５】
以下本発明をその実施の形態を示す図面に基づき具体的に説明する。
図１は、本発明の絶縁構造を備えた電気機器であるテレビジョン受像機を示す斜視図である。図１に示したテレビジョン受像機は液晶パネル又はプラズマディスプレイパネル等の表示パネルを備えた所謂薄型テレビであり、背面側の筐体を外して背面側から見た状態を図１には示している。テレビジョン受像機は、表示パネル及び画像処理回路等を備えた機器本体１の背面側に、ステンレス鋼等の導電性材料で一体に形成された支持部材（導電性部材）３が取り付けられて構成されている。支持部材３は、機器本体１の中央部分の上下に亘って取り付けられており、スタンド又は壁掛け用部品等が更に支持部材３に取り付けられて、機器本体１を支持するようになっている。
【００１６】
図２は、本発明の絶縁構造の構成を示す分解斜視図である。図２ではテレビジョン受像機の背面側から見た状態を示している。機器本体１は、画像処理回路又は電源回路等の電気回路１１を備えている。電気回路１１は、回路基板にトランス等の複数の電気部品１２，１２，…を設けて構成されている。支持部材３は、機器本体１に取り付けられた状態では、電気回路１１に近接した位置に配設されている。支持部材３は電気回路１１中の電気部品１２，１２，…の背側に位置しており、支持部材３と電気部品１２，１２，…との間には、ポリカーボネイト等の絶縁材料で形成された絶縁シート２が配設されている。
【００１７】
図３は、絶縁シート２を示す斜視図である。図２はテレビジョン受像機の背面側から見た状態を示していたが、図３はテレビジョン受像機の正面側からみた状態を示している。絶縁シート２は、矩形の平板に切り込みを入れて複雑になった形状をしており、支持部材３の電気部品１２，１２，…に対向する部分を覆うだけの面積を有している。絶縁シート２の複雑な形状は、支持部材３及び電気部品１２，１２，…等のテレビジョン受像機内に配置された他の部品に合わせて形成した結果である。
【００１８】
絶縁シート２の長尺方向の一端には、端が延伸した二つの係合舌部２１，２１が形成されている。係合舌部２１，２１はほぼ同じ向きにほぼ同じ長さで並んで形成されており、係合舌部２１，２１の先端はくの字状に折り曲げられている。また絶縁シート２の短尺方向の両端には、縁が若干延伸した被係止部２２，２３が形成されている。絶縁シート２の一隅には、孔２４が形成されており、孔２４の脇には、絶縁シート２の面に対して略垂直に、孔２４の直径よりも若干大きい幅の絶縁板２５が立設されている。
【００１９】
図４は、支持部材３の一部を示す斜視図である。支持部材３は、各所に孔、曲げ、凹凸が形成されているものの、全体としてテレビジョン受像機の上下方向に長尺の略矩形平板形状に形成されている。図４はテレビジョン受像機の正面側から支持部材３の一部を見た状態を示している。支持部材３の電気部品１２，１２，…に対向する部分は、平面状の平面部３１となっており、平面部３１の面に絶縁シート２が布設される構成となっている。絶縁シート２の形状は、平面部３１の正面視での形状にほぼ対応した形状となっている。支持部材３の一側端は、テレビジョン受像機の正面方向へ折り曲げられ、平面部３１に対して凸となった凸状部３２となっている。凸状部３２は、支持部材３の上下に亘って形成されており、支持部材３の強度を高めている。凸状部３２の一部は、平面部３１の端に連なる部分を折り曲げて形成されており、平面部３１に隣接している。凸状部３２の平面部３１に隣接する部分には、平面部３１の面に沿った方向に凸状部３２を貫通した係合穴３３，３３が形成されている。また、平面部３１に布設された絶縁シート２の周縁に対応する位置に、絶縁シート２を係止するための係止部３４，３５が形成されている。係止部３４，３５は、支持部材３の一部をテレビジョン受像機の正面方向へ折り曲げ、絶縁シート２を係止できるように鉤状に形成されている。また平面部３１の一隅には、面から柱状に突出した柱状部３６が形成されている。
【００２０】
図５は、支持部材３に絶縁シート２が取り付けられた状態を示す斜視図である。図５は絶縁シート２が取り付けられた支持部材３の一部をテレビジョン受像機の正面側から見た状態を示している。絶縁シート２は、両面テープ又は接着剤等で平面部３１に接着して布設されている。絶縁シート２は、布設の際、係合舌部２１，２１の先端を凸状部３２の係合穴３３，３３に挿入し、係合舌部２１，２１の折り曲げた部分を支点にして倒すことによって、平面部３１に面接触させられる。絶縁シート２が布設された状態では、係合舌部２１，２１は係合穴３３，３３に係合し、更に係合穴３３，３３を突き抜けており、係合舌部２１，２１先端の折り曲げた部分が凸状部３２に掛止されるようになっている。係合舌部２１，２１が係合穴３３，３３に係合し、係合舌部２１，２１の先端が凸状部３２に掛止されることにより、絶縁シート２が平面部３１の面に沿って移動することが抑止される。
【００２１】
支持部材３の係止部３４，３５は、絶縁シート２の短尺方向の両端の夫々に対応する位置に形成されており、鉤状に形成された部分が引っ掛かることによって、係止部３４は被係止部２２を係止し、係止部３５は被係止部２３を係止する。係止部３４，３５が被係止部２２，２３を係止することにより、平面部３１に交差する方向へ絶縁シート２が移動することが抑止される。係止部３４，３５は、支持部材３凸状部３２が形成されている端とは逆の端に近い位置に形成されており、係合舌部２１，２１を支点にして絶縁シート２が平面部３１の面から浮き上がることを効果的に抑止する。
【００２２】
また絶縁シート２の孔２４は、支持部材３の柱状部３６に対応する位置に形成されている。柱状部３６が孔２４に挿入されることで、絶縁シート２が平面部３１に布設される。柱状部３６が孔２４に挿入されることによって、絶縁板２５は柱状部３６の脇に位置することとなる。絶縁板２５は、支持部材３を機器本体１に取り付けた場合に柱状部３６に近接する電気部品１２と柱状部３６との間を絶縁するために配置されている。柱状部３６が孔２４に挿入されているので、絶縁シート２が平面部３１の面に沿って移動することが抑止される。なお、柱状部３６は必ずしも必要な構成要素ではなく、支持部材３は柱状部３６を備えていない形態であってもよい。この場合は、絶縁シート２は孔２４及び絶縁板２５を有している必要はない。
【００２３】
図５のように絶縁シート２を布設された支持部材３は、図２に示すように絶縁シート２を電気部品１２，１２，…に対向させて機器本体１の背面側に取り付けられ、図１に示す如きテレビジョン受像機が構成される。支持部材３と電気部品１２，１２，…との間に絶縁シート２が介在しているので、支持部材３と電気部品１２，１２，…との間に絶縁性が保たれる。
【００２４】
以上のように、本発明では、支持部材３の平面部３１に両面テープ又は接着剤等で接着して布設された絶縁シート２は、係合舌部２１，２１が凸状部３２に掛止されることによって平面部３１の面に沿った移動が抑止され、係止部３４，３５が被係止部２２，２３を係止することによって平面部３１に交差する方向への移動が抑止される。これにより、絶縁シート２は、たとえ両面テープ又は接着剤等がはがれたとしても、移動が抑止され、支持部材３の平面部３１に布設された状態が保たれる。ビス等を必要とすることなく絶縁シート２を設けることができるので、絶縁シート２を固定するために絶縁構造の厚さを大きくすることがなく、テレビジョン受像機の省スペース化及び薄型化を図りながら、支持部材３と電気部品１２，１２，…との間に絶縁性を保つことができる。
【００２５】
また本発明では絶縁シート２の係合舌部２１，２１を支持部材３の凸状部３２の係合穴３３，３３へ係合させ、係止部３４，３５で絶縁シート２を係止させ、絶縁シート２を平面部３１に布設することで絶縁シート２を固定する。絶縁シート２の一部を押し込む、又は絶縁シート２の一部を変形させる等、絶縁シート２に大きい力を加える作業が不必要となるので、絶縁シート２を固定する作業の作業性が改善される。また絶縁シート２は絶縁シート２自身の弾力で固定されている訳ではないので、絶縁シート２の材質が弾性力の強い材質に限定されることもなく、また小さい外力ででも外れる虞もない。
【００２６】
更に本発明では、電気部品１２，１２，…に近接する導電性部材である支持部材３に対して絶縁シート２を固定してあるので、電気回路１１又は電気部品１２，１２，…の腹側を絶縁シート２で保護できることに加えて、電気部品１２，１２，…の背側を絶縁シート２で保護することも可能となる。
【００２７】
なお、以上の実施の形態で示した絶縁シート２及び支持部材３の形状は一例であり、その他の形状であってもよい。例えば、絶縁シート２は二つの係合舌部２１，２１を備えた形態を示したが、絶縁シート２は一又は三以上の係合舌部２１を備え、凸状部３２には一又は三以上の係合穴３３が形成されている形態であってもよい。また係合舌部２１，２１は先端が折り曲げられることなく平坦な形状であってもよい。この場合でも、係合舌部２１，２１は係合穴３３，３３に係合し、絶縁シート２の移動は抑止される。またこの場合は、係合穴３３，３３は必ずしも凸状部３２を貫通している必要はなく、平面部３１側へ開口してあればよい。
【００２８】
また支持部材３の係止部３４，３５に係止されるための被係止部２２，２３を絶縁シート２に設けた形態を示したが、これに限るものではなく、絶縁シート２に被係止部２２，２３を設けずに、特別な形状をしていない絶縁シート２の周縁を係止部３４，３５が引っかけて係止する形態であってもよい。また支持部材３に形成された係止部の数は一又は三以上であってもよい。また凸状部３２は支持部材３の端を折り曲げた形状としたが、これに限るものではなく、支持部材３の表面を凸状に形成した部分等、係合穴３３，３３を形成して絶縁シート２の係合舌部２１，２１を係合できる構造であれば、どのような形態であってもよい。
【００２９】
また本実施の形態においては、本発明における導電性部材は支持部材３であるとしたが、本発明における導電性部材は、ステンレス鋼又はアルミニウム等の導電性材料で形成された部材であればよく、筐体、シールド部材又は放熱部材等、支持部材３以外の機能を実現するその他の部材であってもよい。また本実施の形態においては、絶縁シート２を介在させた導電性部材が電気部品１２，１２，…の背側に対向配置される形態を示したが、これに限るものではなく、本発明では、絶縁シート２を介在させた導電性部材を、回路基板上に形成された電気回路、又は回路基板に接続された電気部品１２，１２，…の腹側に対向配置させた形態であってもよい。また本発明の絶縁構造を備えた電気機器として、テレビジョン受像機の例を示したが、これに限るものではなく、本発明の絶縁構造を備えた電気機器は、パーソナルコンピュータ又は携帯電話機等、その他の電気機器であってもよい。
【図面の簡単な説明】
【００３０】
【図１】本発明の絶縁構造を備えた電気機器であるテレビジョン受像機を示す斜視図である。
【図２】本発明の絶縁構造の構成を示す分解斜視図である。
【図３】絶縁シートを示す斜視図である。
【図４】支持部材の一部を示す斜視図である。
【図５】支持部材に絶縁シートが取り付けられた状態を示す斜視図である。
【符号の説明】
【００３１】
１  機器本体
１１  電気回路
１２  電気部品
２  絶縁シート
２１  係合舌部
３  支持部材（導電性部材）
３１  平面部
３２  凸状部
３３  係合穴
３４、３５  係止部
【図１】
2009049245.tif 000003
【図２】
2009049245.tif 000004
【図３】
2009049245.tif 000005
【図４】
2009049245.tif 000006
【図５】
2009049245.tif 000007